(57)【要約】【課題】手で持って使用することができる上、安全性が高い光治療器を提供する。【解決手段】光治療器は、ハウジング７１、透光性プレート８１、遮光部９１、ＬＥＤモジュール３１及び制御モジュールを備えて電源により駆動する。ハウジング７１は、出光口７２１が設けられた頂面と、底面と、頂面及び底面に接続されて少なくとも１つの凸部７４’が設けられた手持面とを有する。透光性プレート８１は、出光口７２１を覆う。遮光部９１は、出光口７２１の周縁方向に沿って形成された凸縁を有する。ＬＥＤモジュール３１は、出光口７２１に対応してハウジング７１内に収納される。制御モジュールは、電源及びＬＥＤモジュール３１と電気的に接続される。【選択図】図２
2013085948.tif 000002
【特許請求の範囲】
【請求項１】
ハウジング、透光性プレート、遮光部、ＬＥＤモジュール及び制御モジュールを備え、電源により駆動する光治療器であって、
前記ハウジングは、出光口が設けられた頂面と、底面と、前記頂面及び前記底面に接続されて少なくとも１つの凸部が設けられた手持面と、を有し、
前記透光性プレートは、前記出光口を覆い、
前記遮光部は、前記出光口の周縁方向に沿って形成された凸縁を有し、
前記ＬＥＤモジュールは、前記出光口に対応して前記ハウジング内に収納され、
前記制御モジュールは、前記電源及び前記ＬＥＤモジュールと電気的に接続されることを特徴とする光治療器。
【請求項２】
前記頂面及び前記底面の周縁は円弧状に形成され、
前記手持面は、前記頂面及び前記底面の周縁方向に沿って円弧状に形成された輪郭を有することを特徴とする請求項１に記載の光治療器。
【請求項３】
前記手持面は、前記頂面及び前記底面の周縁方向に沿って配列された複数の凸部を有することを特徴とする請求項１に記載の光治療器。
【請求項４】
前記凸部は、前記頂面及び前記底面の周縁方向に沿って凸曲面に形成されることを特徴とする請求項１に記載の光治療器。
【請求項５】
前記凸部は、前記頂面及び前記底面の周縁方向に沿って互いに接続される凸曲面及び凹曲面に形成されることを特徴とする請求項１に記載の光治療器。
【請求項６】
前記手持面は、前記頂面から前記底面にかけて凸曲面に形成されることを特徴とする請求項１に記載の光治療器。
【請求項７】
前記ハウジングは、第１の皿状シェルと第２の皿状シェルとが接合されて構成され、
前記第１の皿状シェルには、前記出光口が設けられていることを特徴とする請求項１に記載の光治療器。
【請求項８】
前記透光性プレートは光拡散シートであることを特徴とする請求項１に記載の光治療器。
【請求項９】
前記制御モジュールは、前記ハウジングの前記手持面に設けられた押しボタン式操作要素を有することを特徴とする請求項１に記載の光治療器。
【請求項１０】
前記制御モジュールは、前記出光口の周縁に設けられた回転盤式操作要素を有し、
前記回転盤式操作要素は、前記遮光部を構成することを特徴とする請求項１に記載の光治療器。
【請求項１１】
前記制御モジュールと電気的に接続されたセンサモジュールをさらに備えることを特徴とする請求項１に記載の光治療器。
【請求項１２】
前記センサモジュールは赤外線センサモジュールであることを特徴とする請求項１１に記載の光治療器。
【請求項１３】
前記制御モジュールと電気的に接続された警告モジュールをさらに備えることを特徴とする請求項１に記載の光治療器。
【請求項１４】
前記制御モジュールと電気的に接続された音声再生モジュールをさらに備えることを特徴とする請求項１に記載の光治療器。
【発明の詳細な説明】
【技術分野】
【０００１】
本発明は、光治療器に関し、特に、手で持って使用する光治療器に関する。
【背景技術】
【０００２】
人々の生活の質が向上して医療産業及び美容産業が発展するに伴い、ニキビ、ソバカス、肝斑、シミ、シワなどの除去、又は美白のために光線を利用して治療する方法が開発されている。
ある医学刊行物では、ニキビの炎症を引き起こす座瘡細菌には、青色光（波長約４００〜４７０ｎｍ）と作用してフリーラジカルが発生してニキビの炎症を防ぐ効果があるポルフィリン（ｐｏｒｐｈｙｒｉｎ）の物質が含まれていることが発表されている。
また、赤色光（波長約６００〜７００ｎｍ）により傷口を癒合して炎症を抑える効果を有する。また黄色光（波長約５５０〜６００ｎｍ）は、皮膚細胞の代謝を促進させる。さらに、緑光線（波長約５００〜５５０ｎｍ）は、皮膚腺の機能を調整し、脂腺の活性、ニキビなどの発生を減らす効果を有する。
このように、美容又は治療の目的を達成するために、個々人の必要に応じて異なる波長光源を用いて光治療を行っていた（例えば、特許文献１および２参照）。
【０００３】
しかしながら、現在、光治療は主にレーザ光又はパルス光を利用して行っているものの、レーザ光及びパルス光の装置は高価である上、それらの装置の操作には高い技術が必要なため、家庭での使用に適さないという問題点があった。
そのため、上述の高強度の光源を一般の光源又は発光ダイオード（ＬＥＤ）により代替することが求められている。そのなかでも発光ダイオードは、長寿命、低消費電力などの長所を有し、そこから出射される治療光は、レーザ光、パルス光などのように破壊方式を利用するのではなく、出射された低刺激の光により治療するため、危険度が低く、家庭での使用に適している。
【先行技術文献】
【特許文献】
【０００４】
【特許文献１】台湾登録番号Ｍ３０８０８０（請求の範囲等）
【特許文献２】台湾登録番号Ｍ３２３８９８（請求の範囲等）
【発明の概要】
【発明が解決しようとする課題】
【０００５】
そこで、上述した従来技術の問題点がない上、一般家庭での使用に適した光治療器が求められていた。
そのため、本発明の目的は、手で持って使用することができる上、安全性が高い光治療器を提供することにある。
【課題を解決するための手段】
【０００６】
そこで、上記課題を解決するために、本発明の第１の形態によれば、ハウジング、透光性プレート（ｌｉｇｈｔ−ｔｒａｎｓｍｉｔｔｉｎｇ  ｐｌａｔｅ）、遮光部、ＬＥＤモジュール及び制御モジュールを備え、電源により駆動する光治療器であって、前記ハウジングは、出光口が設けられた頂面と、底面と、前記頂面及び前記底面に接続されて少なくとも１つの凸部が設けられた手持面と、を有し、前記透光性プレートは、前記出光口を覆い、前記遮光部は、前記出光口の周縁方向に沿って形成された凸縁を有し、前記ＬＥＤモジュールは、前記出光口に対応して前記ハウジング内に収納され、前記制御モジュールは、前記電源及び前記ＬＥＤモジュールと電気的に接続されることを特徴とする光治療器が提供される。
【０００７】
また、本発明の光治療器を構成するにあたり、前記頂面及び前記底面の周縁は円弧状に形成され、前記手持面は、前記頂面及び前記底面の周縁方向に沿って円弧状に形成された輪郭を有することが好ましい。
【０００８】
また、本発明の光治療器を構成するにあたり、前記手持面は、前記頂面及び前記底面の周縁方向に沿って配列された複数の凸部を有することが好ましい。
【０００９】
また、本発明の光治療器を構成するにあたり、前記凸部は、前記頂面及び前記底面の周縁方向に沿って凸曲面に形成されることが好ましい。
【００１０】
また、本発明の光治療器を構成するにあたり、前記凸部は、前記頂面及び前記底面の周縁方向に沿って互いに接続される凸曲面及び凹曲面に形成されることが好ましい。
【００１１】
また、本発明の光治療器を構成するにあたり、前記手持面は、前記頂面から前記底面にかけて凸曲面に形成されることが好ましい。
【００１２】
また、本発明の光治療器を構成するにあたり、前記ハウジングは、第１の皿状シェルと第２の皿状シェルとが接合されて構成され、前記第１の皿状シェルには、前記出光口が設けられていることが好ましい。
【００１３】
また、本発明の光治療器を構成するにあたり、前記透光性プレートは光拡散シートであることが好ましい。
【００１４】
また、本発明の光治療器を構成するにあたり、前記制御モジュールは、前記ハウジングの前記手持面に設けられた押しボタン式操作要素を有することが好ましい。
【００１５】
また、本発明の光治療器を構成するにあたり、前記制御モジュールは、前記出光口の周縁に設けられた回転盤式操作要素を有し、前記回転盤式操作要素は、前記遮光部を構成することが好ましい。
【００１６】
また、本発明の光治療器を構成するにあたり、前記制御モジュールと電気的に接続されたセンサモジュールをさらに備えることが好ましい。
【００１７】
また、本発明の光治療器を構成するにあたり、前記センサモジュールは赤外線センサモジュールであることが好ましい。
【００１８】
また、本発明の光治療器を構成するにあたり、前記制御モジュールと電気的に接続された警告モジュールをさらに備えることが好ましい。
【００１９】
また、本発明の光治療器を構成するにあたり、前記制御モジュールと電気的に接続された音声再生モジュールをさらに備えることが好ましい。
【発明の効果】
【００２０】
本発明の光治療器によれば、手で持って使用することができる上、安全性を高めることができる。
【図面の簡単な説明】
【００２１】
【図１】本発明の第１実施形態による光治療器を示すブロック図である。
【図２】本発明の第１実施形態による光治療器を示す分解斜視図である。
【図３】本発明の第１実施形態による光治療器を示す側面図である。
【図４】本発明の第１実施形態による光治療器を示す平面図である。
【図５】本発明の第２実施形態による光治療器を示す斜視図である。
【図６】本発明の第３実施形態による光治療器を示すブロック図である。
【図７】本発明の第３実施形態による光治療器を示す平面図である。
【発明を実施するための形態】
【００２２】
本発明の光治療器は、電源により駆動し、ハウジング、透光性プレート、遮光部、ＬＥＤモジュール及び制御モジュールを備える。ハウジングは、出光口が設けられた頂面と、底面と、頂面及び底面に接続されて少なくとも１つの凸部が設けられた手持面と、を有する。透光性プレートは、出光口を覆う。遮光部は、出光口の周縁方向に沿って形成された凸縁を有する。ＬＥＤモジュールは、ハウジングの出光口に対応してハウジング内に収納される。制御モジュールは、電源及びＬＥＤモジュールと電気的に接続される。遮光部の頂端から透光性プレートにかけて凹状に形成され、透光性プレートの周囲には、遮光効果を得るために遮光部が形成されている。
【００２３】
本発明の光治療器の手持面には、ユーザが握って使用することができるように利便性を高める凸部が設けられるとともに、光治療器の遮光部の頂端を光治療部位に接触させて遮光効果を得て、治療光がユーザの目に照射されたり、ユーザが行っている作業に悪影響を与えたりすることを防ぎ、使用の安全性を高めて患部が他人に見られることを防いでプライバシーを守ることもできる。
【００２４】
本発明の光治療器は、外部電源に接続したり、電池を電源として使用してＬＥＤモジュールを駆動してもよい。ここで電池は二次電池でもよいし、一次電池である乾電池又はボタン電池でもよい。本発明の光治療器は、簡便に携帯することができるように電池を電源とすることが好ましい。本発明の光治療器のハウジング内には、電源を収納する電源収納部が設けられている。
【００２５】
本発明の光治療器のハウジングは、第１の皿状シェル（ｄｉｓｈ−ｓｈａｐｅｄ ｓｈｅｌｌ）と第２の皿状シェルとを接合させて構成し、第１の皿状シェルには、出光口が設けられている。第１の皿状シェル及び第２の皿状シェルの周縁は、円弧状に形成されることが好ましい。
【００２６】
本発明の光治療器のハウジングは、光漏れを防ぐために、透過率が低い材料（例えば、反射性が高いか密度が高い材料）からなることが好ましい。また、当業者であれば分かるように、光治療器の全体構造の密着度を高めて、光治療器の光漏れを防ぐことができる限り如何なる構造にしてもよい。
【００２７】
本発明の光治療器のハウジングは、頂面及び底面の周縁が円弧状に形成され、手持面が頂面及び底面の周縁方向で円弧状の輪郭に形成され、手持面が頂面から底面にかけて凸曲面に形成される。この手持面は、頂面及び底面の周縁方向に沿って配列された凸部を有し、ユーザが光治療器を持つときに凸部の間に指を入れることができるため、手で持って便利に使用することができる。また、凸部を人間工学的により好ましくするために、凸部を頂面及び底面の周縁方向で凸曲面に形成し、凸部を頂面及び底面の周縁方向に沿って互いに接続された凸曲面及び凹曲面に形成してもよい。このように、本発明の光治療器の頂面、底面及び手持面により、ハウジングをより人間工学的に好ましい形状に形成することにより、手で持って使用するときの快適性を高めてスムーズに使用することができるようにしてもよい。
【００２８】
本発明の光治療器は、均一に光を出射してユーザの目に直接治療光が照射されることを防ぎながら光治療の効果を高めることができる透光性プレートであることが好ましい。
【００２９】
本発明の光治療器は、制御モジュールと電気的に接続された警告モジュールをさらに含んでもよい。この警告モジュールは、治療が終了したことをユーザに知らせるために用いる。この警告モジュールは、ユーザに知らせることができる如何なる方式、例えば、音声、ブザー、振動などを利用してもよい。
【００３０】
本発明の光治療器は、制御モジュールと電気的に接続された音声再生モジュールをさらに含んでもよい。ここで、音声再生モジュールは、ユーザが光治療を行っている最中に音楽を流すことにより、光治療器を使用するユーザが治療時間を長く感じないようにして使用意欲を高めるために用いる。
【００３１】
本発明の光治療器の制御モジュールは、ＬＥＤモジュール、警告モジュール、音声再生モジュールなどに対して作動制御を行うロジック回路を有する。制御モジュールは、ユーザが操作するために用いる１つ又は複数の操作要素である。例えば、ユーザは、制御モジュールの操作要素により、ＬＥＤモジュール及び音声再生モジュールをオンしたりオフしたりする。また、ユーザは、制御モジュールの操作要素により、治療時間を設定し、警告モジュールの治療が終了したときに警告メッセージを発する。ここで、制御モジュールは、ハウジングの手持面に設けられた操作要素を有し、ユーザが光治療器を治療部位へ移動させると、横から起動させる方式により直感的に操作を行うことができる上、光治療器を起動させたときにユーザの目に治療光が照射されることを防いでもよい。或いは、制御モジュールは、出光口の周縁に設けられ、回転させて制御する回転盤式操作要素でもよい。この回転盤式操作要素は、遮光部を同時に構成する。
【００３２】
本発明の光治療器は、制御モジュールと電気的に接続されたセンサモジュールをさらに含んでもよい。このセンサモジュールは、光治療器が光治療部位に移動したか否かを感知してＬＥＤモジュールのオン又はオフを制御するために用いる。センサモジュールは、赤外線センサモジュールであることが好ましい。例えば、ユーザが光治療器をセンサモジュールの感知範囲内まで移動させると、センサモジュールは、制御モジュールへ起動信号を送信し、制御モジュールによりＬＥＤモジュールを起動する。反対に、光治療器がセンサモジュールの感知範囲外まで移動させると、ＬＥＤモジュールがオフ状態となる。
【００３３】
本発明の光治療器は、ハウジング内に制御モジュール、ＬＥＤモジュール、警告モジュール、音声再生モジュール、センサモジュールなどを収納する。制御モジュール、警告モジュール及び音声再生モジュールの設置箇所は特に限定されるわけではなく、ＬＥＤモジュール及びセンサモジュールは、出光口に対応することが好ましく、センサモジュールが出光口の中心に対応することがさらに好ましい。
【００３４】
以下、本発明の実施形態について図に基づいて説明する。なお、これによって本発明が限定されるものではない。
【００３５】
（第１実施形態）
図１を参照する。図１に示すように、本発明の第１実施形態による光治療器は、電源１１を利用して駆動させ、その作動部材は、制御モジュール２１、ＬＥＤモジュール３１、警告モジュール４１及び音声再生モジュール５１を含む。制御モジュール２１は、電源１１と電気的に接続されている。ＬＥＤモジュール３１、警告モジュール４１及び音声再生モジュール５１は、制御モジュール２１とそれぞれ電気的に接続されている。この制御モジュール２１は、ＬＥＤモジュール３１、警告モジュール４１及び音声再生モジュール５１の作動を制御するために用いるロジック回路を有する。例えば、第１実施形態のユーザは、制御モジュール２１に設けた押しボタン式操作要素２１１により、ＬＥＤモジュール３１のオン・オフを制御するとともに、操作要素２１２を介して治療時間を設定し、警告モジュール４１を制御して治療時間が終了したときにアラーム（例えば、音響効果、ブザー、振動など）を発してユーザに知らせるとともに、ユーザは操作要素２１３により音声再生モジュール５１のオン・オフを制御し、ユーザの使用意欲を高めるために、光治療を行っている最中に音楽を流してもよい。
【００３６】
続いて、図２を参照する。図２に示すように、当業者であれば分かるように、図１の作動部材間の接続関係に基づき、上述の制御モジュール２１、ＬＥＤモジュール３１、警告モジュール４１及び音声再生モジュール５１をハウジング７１内部へ取り付ける。図２に示すように、ＬＥＤモジュール３１は、ハウジング７１の出光口７２１に対応するようにハウジング７１内に収納され、その他の作動部材の取り付け位置は特に限定されるわけではなく、その他の作動部材（例えば、制御モジュール２１、警告モジュール４１及び音声再生モジュール５１）は、詳細にではなく簡単に図面に表している。
【００３７】
図２を参照する。図２に示すように、本実施形態の光治療器は、ハウジング７１、透光性プレート８１及び遮光部９１を含む。ハウジング７１は、第１の皿状シェル７２と第２の皿状シェル７３とを接合させて形成する。第１の皿状シェル７２には、出光口７２１が設けられ、ＬＥＤモジュール３１の治療光が出光口７２１から出射される。
ここで、図２に示すように、第１の皿状シェル７２及び第２の皿状シェル７３の周縁７２２，７３２は円弧状であり、第１の皿状シェル７２及び第２の皿状シェル７３の周縁７２２，７３２には、複数の輪郭が互いに合致した凸部７４’が設けられ、光治療器を簡便に手で持って使用することできる。
また、図２に示すように、透光性プレート８１は、出光口７２１を覆い、ＬＥＤモジュール３１から出射された治療光が透光性プレート８１を透過して治療部位に到達する。
ここで、本実施形態で使用する透光性プレート８１は、治療する部位に均一に照射できるように均一に出射し、ユーザの目に治療光が直接照射されることを防ぐ光拡散プレートである。
また、図２に示すように、遮光部９１は、出光口７２１の周囲縁部に凸縁が形成され、透光性プレート８１の周囲には、遮光効果を得るために側壁が凸設され、ユーザの目に治療光が照射されることを防ぐことができる上、患部が他人に見られることを防いでプライバシーを守ることもできる。
【００３８】
図３を参照する。図３に示すように、組み合わせた後のハウジングは、頂面７１１、底面７１２及び手持面７１３を含む。頂面７１１には、治療光を出射するために用いる出光口７２１が設けられている。手持面７１３は、ユーザが握持するために用いるそれぞれ対応した頂面７１１及び底面７１２に接続されている。
ここで、図３に示すように、手持面７１３は、頂面７１１から底面７１２にかけて凸曲面に形成され、頂面７１１及び底面７１２の周縁は円弧状（図２及び図４を参照）に形成され、手持面７１３は、頂面７１１及び底面７１２の周縁方向に沿って円弧状の輪郭が形成される（図４を併せて参照）。
さらに、図４に示すように、光治療器の手持面７１３は、頂面及び底面の周縁方向Ｄに沿って配列された複数の凸部７４を含む。これら凸部７４は、頂面及び底面の周縁方向Ｄに沿って、互いに接続された凸曲面７４１及び凹曲面７４２が形成される。これにより、ハウジングの頂面７１１、底面７１２及び手持面７１３により人体工学的に好ましくなるように構成し、スムーズに使用できるようにする。図４を参照する。図４に示すように、制御モジュールは、手持面７１３に対応した箇所に設けられた押しボタン式操作要素２１１，２１２，２１３を有する。また、これにより、ユーザが光治療器を治療部位へ移動させると、側部に設けた押しボタンにより起動させて直感的に操作することができる上、ユーザが光治療器を起動させたときにユーザの目に治療光が照射されることを防ぐ。
【００３９】
（第２実施形態）
図５を参照する。図５に示すように、本発明の第２実施形態による光治療器は、第１実施形態の光治療器と略同じであるが、制御モジュールが出光口７２１の周縁に対応した箇所に回転盤式操作要素２１４が設けられ、ＬＥＤモジュール３１のオン／オフと、治療時間の設定と、を制御するとともに、遮光部９１として用いて遮光効果を得て、手持面７１３に設けた操作要素２１３は、音声再生モジュール５１の作動を制御するために用いる。
具体的に説明すると、回転盤式操作要素２１４をオフマークＮまで回転させると、ＬＥＤモジュール３１がオフ状態となる。また回転盤式操作要素２１４をオンマークＹまで移動させると、ＬＥＤモジュール３１がオンして治療光を出射するが、治療時間は設定されない。回転盤式操作要素２１４を時間マークＡ，Ｂ，Ｃに合わせると、ＬＥＤモジュール３１により治療光を出射して所定の治療時間を設定し、治療が終了すると、警告モジュール４１によりアラームを発する。時間マークＡ，Ｂ，Ｃは、それぞれ異なる治療時間を表す。
【００４０】
（第３実施形態）
図６を参照する。図６に示すように、本発明の第３実施形態による光治療器は、第１実施形態の光治療器と略同じであるが、自動的に起動させることができる。
図６に示すように、第３実施形態による光治療器の作動構造は、制御モジュール２１、ＬＥＤモジュール３１、警告モジュール４１、音声再生モジュール５１及びセンサモジュール６１を含む。制御モジュール２１は、電源１１と電気的に接続される。ＬＥＤモジュール３１、警告モジュール４１、音声再生モジュール５１及びセンサモジュール６１は、制御モジュール２１とそれぞれ電気的に接続される。
したがって、第３実施形態の光治療器は、センサモジュール６１を利用して光治療器により治療部位が移動しているか否かを感知し、ＬＥＤモジュール３１のオン・オフを自動的に行う。
具体的には、ユーザがセンサモジュール６１を感知する感知範囲内に光治療器を移動させると、センサモジュール６１が制御モジュール２１へオン信号を伝送し、制御モジュール２１によりＬＥＤモジュール３１をオンする。反対に、光治療器がセンサモジュール６１の感知範囲外へ移動すると、ＬＥＤモジュール３１がオフ状態となる。ここで、センサモジュール６１は、第１実施形態の押しボタン式操作要素２１１の機能を代替し、自動起動モードにより押しボタン起動モードを代替して操作の利便性を高めてもよい。
なお、第３実施形態で使用するセンサモジュール６１は赤外線センサモジュールである。
さらに、第３実施形態は、第１実施形態と同様に、光治療器は、押しボタン式操作要素２１２，２１３を介して治療時間を設定し、音声再生モジュール５１のオン／オフを行ってもよい。
【００４１】
ここで、図７を参照する。すなわち、図７に示すように、本実施形態の光治療器のセンサモジュール６１は、出光口の中心に対応してハウジング７１内部に収納されていることが好ましい。
【００４２】
当該分野の技術を熟知するものが理解できるように、本発明の好適な実施形態を前述の通り開示したが、これらは決して本発明を限定するものではない。すなわち、本発明の主旨と領域を逸脱しない範囲内で各種の変更や修正を加えることができる。
従って、本発明の特許請求の範囲は、このような変更や修正を含めて広く解釈されるべきである。
【符号の説明】
【００４３】
１１  電源
２１  制御モジュール
３１  ＬＥＤモジュール
４１  警告モジュール
５１  音声再生モジュール
６１  センサモジュール
７１  ハウジング
７２  第１の皿状シェル
７３  第２の皿状シェル
７４  凸部
７４’  凸部
８１  透光性プレート
９１  遮光部
２１１  押しボタン式操作要素
２１２  押しボタン式操作要素
２１３  押しボタン式操作要素
２１４  回転盤式操作要素
７１１  頂面
７１２  底面
７１３  手持面
７２１  出光口
７２２  周縁
７３２  周縁
７４１  凸曲面
７４２  凹曲面
Ａ  時間マーク
Ｂ  時間マーク
Ｃ  時間マーク
Ｄ  周縁方向
Ｎ  オフマーク
Ｙ  オンマーク
【図１】
2013085948.tif 000003
【図２】
2013085948.tif 000004
【図３】
2013085948.tif 000005
【図４】
2013085948.tif 000006
【図５】
2013085948.tif 000007
【図６】
2013085948.tif 000008
【図７】
2013085948.tif 000009